【手続補正書】
【提出日】平成30年11月20日(2018.11.20)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第１のデバイスで、パケットを受信することと、
前記パケットが重複基本サービスセット（ＯＢＳＳ）のメンバによって送られたかを決定するために、前記パケットのプリアンブルの少なくとも一部を復号することと、ここにおいて、前記復号することは、
前記パケットの前記プリアンブル中のシーケンスを識別することと、
前記シーケンスが、前記第１のデバイスに関連付けられたＢＳＳのメンバを対象としたパケットのためのシーケンスと一致するかを決定することと、
前記一致が失敗したとの決定に応答して、前記パケットが前記ＯＢＳＳの前記メンバによって送られたと決定することと
を備える、
前記復号の開始に応答して、バックオフ動作を延期することと、
前記パケットが前記ＯＢＳＳの前記メンバによって送られたとの前記決定に応答して、前記バックオフ動作を再開することと、ここにおいて、前記バックオフ動作は、前記パケットの終了前に再開される、
を備える方法。
【請求項２】
前記第１のデバイスによって、前記バックオフ動作の満了後に信号を送信すること
をさらに備える、請求項１に記載の方法。
【請求項３】
前記バックオフ動作は、前記パケットが前記ＯＢＳＳの前記メンバによって送られたとの前記決定からフレーム間隔後に再開される、請求項１に記載の方法。
【請求項４】
前記フレーム間隔は、アービトレイションフレーム間間隔（ＡＩＦＳ）によって定義される、請求項３に記載の方法。
【請求項５】
前記フレーム間隔の値は、前記バックオフ動作が再開されるときＡＩＦＳによって定義される値より短い、請求項３に記載の方法。
【請求項６】
前記フレーム間隔の値および前記ＡＩＦＳの値は、アクセスクラスに基づく、請求項５に記載の方法。
【請求項７】
前記フレーム間隔の値および前記ＡＩＦＳの値は、送信保留データのタイプに基づく、請求項５に記載の方法。
【請求項８】
前記第１のデバイスで受信された前記メッセージは、前記第１のデバイスとは異なる別のデバイスで前記ＡＰから受信されたメッセージにおいて識別されるプロシージャとは異なる前記バックオフ動作を再開するためのプロシージャを識別する、請求項７に記載の方法。
【請求項９】
前記フレーム間隔は、前記パケットが前記ＯＢＳＳの前記メンバによって送られたとの前記決定の後に追加の遅延なしに前記バックオフ動作が再開することを可能にするためにゼロに設定される、請求項３に記載の方法。
【請求項１０】
前記パケットが前記ＯＢＳＳの前記メンバによって送られたとの前記決定に応答して、疑似ランダム時間期間を、前記フレーム間隔に加えることをさらに備える、ここにおいて、前記バックオフ動作を再開することは、前記疑似ランダム時間期間によって修正された前記フレーム間隔に基づいて、前記バックオフ動作を再開することを備える、
請求項３に記載の方法。
【請求項１１】
前記プリアンブルの持続時間または前記プリアンブルの前記一部を復号するのにかかった時間に少なくとも部分的に基づいて、前記バックオフ動作の残り時間を低減すること
をさらに備える、請求項１に記載の方法。
【請求項１２】
前記バックオフ動作の前記残り時間は、前記復号の前記開始に応答して前記バックオフ動作が延期されるとき、前記バックオフ動作を完了するために残された時間である、請求項１１に記載の方法。
【請求項１３】
前記パケットが前記ＯＢＳＳの前記メンバによって送られたとの前記決定に応答して、疑似ランダム時間期間を、前記バックオフ動作の残り時間に加えることをさらに備える、ここにおいて、前記バックオフ動作を再開することは、前記疑似ランダム時間期間によって修正された前記残り時間に基づいて、前記バックオフ動作を再開することを備える、
請求項１に記載の方法。
【請求項１４】
前記第１のデバイスで、前記パケットが前記ＯＢＳＳの前記メンバによって送られたとの前記決定に応答して、前記バックオフ動作を再開するときにどのプロシージャを使用するかを識別するメッセージを第２のデバイスから受信すること
をさらに備える、請求項１に記載の方法。
【請求項１５】
前記第２のデバイスは、アクセスポイント（ＡＰ）であり、前記方法は、前記ＡＰから受信された前記メッセージにおいて識別された前記プロシージャに基づいて、前記バックオフ動作を再開することをさらに備える、請求項１４に記載の方法。
【請求項１６】
前記バックオフ動作を再開することは、
前記パケットの終了まで、ワイヤレス媒体がアイドルであるかビジーであるかを決定するためにクリアチャネルアセスメント（ＣＣＡ）プロシージャを実行すること
を備える、請求項１に記載の方法。
【請求項１７】
前記パケットの前記終了前に前記バックオフ動作を再開することは、前記ＯＢＳＳパケットに関連付けられたネットワーク割振りベクトル（ＮＡＶ）の満了前に前記バックオフ動作を再開することを備える、請求項１に記載の方法。
【請求項１８】
ワイヤレス通信のための装置であって、
プロセッサと、
前記プロセッサに結合されたメモリと、
を備え、ここにおいて、前記メモリは、
第１のデバイスで、パケットを受信することと、
前記パケットのプリアンブル中のシーケンスを識別することと、
前記シーケンスが、前記第１のデバイスに関連付けられたＢＳＳのメンバを対象としたパケットのためのシーケンスと一致するかを決定することと、
前記一致が失敗したとの決定に応答して、前記パケットが重複基本サービスセット（ＯＢＳＳ）の前記メンバによって送られたと決定することと
を行うための命令をさらに実行することによって、前記パケットが前記ＯＢＳＳのメンバによって送られたかを決定するために、前記パケットの前記プリアンブルの少なくとも一部を復号することと、
前記復号の開始に応答して、バックオフ動作を延期することと、
前記パケットが前記ＯＢＳＳの前記メンバによって送られたとの前記決定に応答して、前記バックオフ動作を再開することと、ここにおいて、前記バックオフ動作は、前記パケットの終了前に再開される、
を行うために前記プロセッサによって実行可能な前記命令を含む、装置。
【請求項１９】
前記命令は、
前記第１のデバイスによって、前記バックオフ動作の満了後に信号を送信すること
を行うために前記プロセッサによってさらに実行可能である、請求項１８に記載の装置。
【請求項２０】
前記バックオフ動作は、前記パケットが前記ＯＢＳＳの前記メンバによって送られたとの前記決定からフレーム間隔後に再開される、請求項１８に記載の装置。
【請求項２１】
前記フレーム間隔は、アービトレイションフレーム間間隔（ＡＩＦＳ）によって定義される、請求項２０に記載の装置。
【請求項２２】
前記フレームの値は、前記バックオフ動作が再開されるときＡＩＦＳによって定義される値より短い、請求項２０に記載の装置。
【請求項２３】
前記フレーム間隔の値および前記ＡＩＦＳの値は、アクセスクラスに基づく、請求項２２に記載の装置。
【請求項２４】
前記フレーム間隔の値および前記ＡＩＦＳの値は、送信保留データのタイプに基づく、請求項２２に記載の装置。
【請求項２５】
前記フレーム間隔は、前記パケットが前記ＯＢＳＳの前記メンバによって送られたとの前記決定の後に追加の遅延なしに前記バックオフ動作が再開することを可能にするためにゼロに設定される、請求項２０に記載の装置。
【請求項２６】
前記命令は、
前記パケットが前記ＯＢＳＳの前記メンバによって送られたとの前記決定に応答して、疑似ランダム時間期間を、前記フレーム間隔に加えること、ここにおいて、前記バックオフ動作を再開することは、前記疑似ランダム時間期間によって修正された前記フレーム間隔に基づいて、前記バックオフ動作を再開することを備える、
を行うために前記プロセッサによってさらに実行可能である、請求項２０に記載の装置。
【請求項２７】
前記命令は、
前記プリアンブルの持続時間または前記プリアンブルの前記一部を復号するのにかかった時間に少なくとも部分的に基づいて、前記バックオフ動作の残り時間を低減すること
を行うために前記プロセッサによってさらに実行可能である、請求項１８に記載の装置。
【請求項２８】
前記バックオフ動作の前記残り時間は、前記復号の前記開始に応答して前記バックオフ動作が延期されるとき、前記バックオフ動作を完了するために残された時間である、請求項２７に記載の装置。
【請求項２９】
前記命令は、
前記パケットが前記ＯＢＳＳの前記メンバによって送られたとの前記決定に応答して、疑似ランダム時間期間を、前記バックオフ動作の残り時間に加えること、ここにおいて、前記バックオフ動作を再開することは、前記疑似ランダム時間期間によって修正された前記残り時間に基づいて、前記バックオフ動作を再開することを備える、
を行うために前記プロセッサによってさらに実行可能である、請求項１８に記載の装置。
【請求項３０】
前記命令は、
前記パケットが前記ＯＢＳＳの前記メンバによって送られたとの前記決定に応答して、前記バックオフ動作を再開するときにどのプロシージャを使用するかを識別するメッセージを第２のデバイスから受信すること
を行うために前記プロセッサによってさらに実行可能である、請求項１８に記載の装置。
【請求項３１】
前記第２のデバイスは、アクセスポイント（ＡＰ）であり、前記命令は、前記ＡＰから受信された前記メッセージにおいて識別された前記プロシージャに基づいて、前記バックオフ動作を再開することを行うために前記プロセッサによってさらに実行可能である、請求項３０に記載の装置。
【請求項３２】
前記第１のデバイスにおいて受信された前記メッセージは、前記第１のデバイスとは異なる別のデバイスで前記ＡＰから受信されたメッセージにおいて識別されるプロシージャとは異なる前記バックオフ動作を再開するためのプロシージャを識別する、請求項３１に記載の装置。
【請求項３３】
前記バックオフ動作を再開するための前記命令は、
前記パケットの終了まで、ワイヤレス媒体がアイドルであるかビジーであるかを決定するためにクリアチャネルアセスメント（ＣＣＡ）プロシージャを実行すること
を行うために前記プロセッサによってさらに実行可能である、請求項１８に記載の装置。
【請求項３４】
前記命令は、前記ＯＢＳＳパケットに関連付けられたネットワーク割振りベクトル（ＮＡＶ）の満了前に前記バックオフ動作を再開することを行うために前記プロセッサによってさらに実行可能である、請求項１８に記載の装置。
【請求項３５】
ワイヤレス通信のための装置であって、
第１のデバイスで、パケットを受信するための手段と、
前記パケットが重複基本サービスセット（ＯＢＳＳ）のメンバによって送られたかを決定するために、前記パケットのプリアンブルの少なくとも一部を復号するための手段と、ここにおいて、復号するための前記手段は、
前記パケットの前記プリアンブル中のシーケンスを識別するための手段と、
前記シーケンスが、前記第１のデバイスに関連付けられたＢＳＳのメンバを対象としたパケットのためのシーケンスと一致するかを決定するための手段と、
前記一致が失敗したとの決定に応答して、前記パケットが前記ＯＢＳＳの前記メンバによって送られたと決定するための手段と
を備える、
前記復号の開始に応答して、バックオフ動作を延期するための手段と、
前記パケットが前記ＯＢＳＳの前記メンバによって送られたとの前記決定に応答して前記バックオフ動作を再開するための手段と、ここにおいて、前記バックオフ動作は、前記パケットの終了前に再開される、
を備える装置。
【請求項３６】
ワイヤレス通信のためにプロセッサによって実行可能なコードを記憶する非一時的なコンピュータ読取可能な媒体であって、前記コードは、
第１のデバイスで、パケットを受信するためのコードと、
前記パケットが重複基本サービスセット（ＯＢＳＳ）のメンバによって送られたかを決定するために、前記パケットのプリアンブルの少なくとも一部を復号するためのコードと、ここにおいて、復号するための前記コードは、
前記パケットの前記プリアンブル中のシーケンスを識別するためのコードと、
前記シーケンスが、前記第１のデバイスに関連付けられたＢＳＳのメンバを対象としたパケットのためのシーケンスと一致するかを決定するためのコードと、
前記一致が失敗したとの決定に応答して、前記パケットが前記ＯＢＳＳの前記メンバによって送られたと決定するためのコードと
を備える、
前記復号の開始に応答して、バックオフ動作を延期するためのコードと、
前記パケットが前記ＯＢＳＳの前記メンバによって送られたとの決定に応答して、前記バックオフ動作を再開するためのコードと、ここにおいて、前記バックオフ動作は、前記パケットの終了前に再開される、
を備えるコンピュータ読取可能な媒体。